(57)【要約】【課題】ゴト行為を有利に阻止することが出来る、新規な構造の遊技機用基板ケースを提供することを、目的とする。【解決手段】ケース本体１２と蓋部材１４のそれぞれに設けられて、ケース本体１２と蓋部材１４が組み付けられた組付状態で互いに協働することによって制御基板１６を支持する支持部２５ａ，２５ｂ，４５ａ，４５ｂの全てが、ケース本体１２に対する蓋部材１４の組付状態に向けたスライド変位が開始可能な状態で、ケース本体１２と蓋部材１４のそれぞれに設けられて、遊技機用基板ケース１０においてケース本体１２に対する蓋部材１４のスライド変位方向で対向位置せしめられる一対の側壁部２３ａ，４１ａ，２３ｂ，４１ｂを構成する一対の対向壁部４１ａ，４１ｂの間に位置せしめられるようにした。【選択図】図１１
2007282658.tif 000002
【特許請求の範囲】
【請求項１】
ケース本体と該ケース本体に組み付けられる蓋部材によって形成された収容空間に制御基板が収容される遊技機用基板ケースにおいて、
前記ケース本体と前記蓋部材の一方に対して係合片が設けられていると共に、該ケース本体と該蓋部材の他方に対して該係合片が係合せしめられる係合部が設けられており、該ケース本体に対して該蓋部材がスライド変位せしめられて、該係合片が該係合部に係合せしめられることにより、該ケース本体と該蓋部材が組み付けられた組付状態となる一方、該組付状態で互いに協働することによって前記制御基板を支持する支持部が該ケース本体と該蓋部材のそれぞれに設けられており、該ケース本体に対する該蓋部材の該組付状態に向けたスライド変位が開始可能な状態で、該支持部の全てが、該蓋部材に設けられて、前記遊技機用基板ケースにおいて該ケース本体に対する該蓋部材のスライド変位方向で対向位置せしめられる一対の側壁部を構成する一対の対向壁部の間に位置せしめられていることを特徴とする遊技機用基板ケース。
【発明の詳細な説明】
【技術分野】
【０００１】
本発明は、ケース本体に対して蓋部材を組み付けることによって、制御基板が収容される収容空間が形成される遊技機用基板ケースに関するものである。
【背景技術】
【０００２】
従来から、ケース本体に対して蓋部材をスライド変位せしめることで、ケース本体と蓋部材の対向面間に制御基板が収容される収容空間が形成される遊技機用基板ケースが知られている（特許文献１参照）。
【０００３】
ところで、制御基板を遊技機用基板ケースの収容空間に収容する場合、ケース本体に対して蓋部材が組み付けられた状態下において、ケース本体と蓋部材のそれぞれに対して、互いに協働することで制御基板を支持する支持部を設けて、これらの支持部によって制御基板を支持することが考えられる。
【０００４】
この場合、制御基板を四隅で支持することが考えられるが、そうすると、遊技機用基板ケースの周壁を構成する部分（以下、周壁構成部分と称する）が蓋部材に設けられていると、かかる周壁構成部分において、ケース本体に対する蓋部材の組付方向へのスライド変位に際して先行する側の部分に、かかるスライド変位時に支持部が通り抜け可能な切欠等を形成する必要がある。しかしながら、このような切欠等を形成すると、かかる切欠等を利用したゴト行為が行われるおそれがある。
【０００５】
また、蓋部材において組付方向へのスライド変位に際して先行する側の部分に遊技機用基板ケースの周壁構成部分が設けられておらず、その代わりに、ケース本体に対して蓋部材における組付方向へのスライド変位に際して先行する側の端面に重ね合わせられる周壁構成部分が設けられている場合であっても、組付状態下で、蓋部材において組付方向へのスライド変位に際して先行する側の端部と、ケース本体に設けられた周壁構成部分との間に隙間が形成されてしまい、かかる隙間を利用したゴト行為が行われるおそれがある。
【０００６】
それ故、上述の如く、ケース本体に対して蓋部材をスライド変位させて組み付けることで制御基板を収容する収容空間が形成される構造を採用する場合、ゴト行為を阻止するための何等かの工夫が求められていたのである。
【０００７】
【特許文献１】特開２００４−２７５２５５号公報
【発明の開示】
【発明が解決しようとする課題】
【０００８】
ここにおいて、本発明は、上述の如き事情を背景として為されたものであって、その解決課題とするところは、ゴト行為を有利に阻止することが出来る、新規な構造の遊技機用基板ケースを提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。
【００１０】
本発明は、ケース本体とかかるケース本体に組み付けられる蓋部材によって形成された収容空間に制御基板が収容される遊技機用基板ケースにおいて、ケース本体と蓋部材の一方に対して係合片が設けられていると共に、ケース本体と蓋部材の他方に対して係合片が係合せしめられる係合部が設けられており、ケース本体に対して蓋部材がスライド変位せしめられて、係合片が係合部に係合せしめられることにより、ケース本体と蓋部材が組み付けられた組付状態となることを、特徴とする。また、本発明の遊技機用基板ケースにおいては、ケース本体と蓋部材が組み付けられた組付状態で互いに協働することによって制御基板を支持する支持部がケース本体と蓋部材のそれぞれに設けられていることも、特徴とする。更にまた、本発明の遊技機用基板ケースにおいては、ケース本体に対する蓋部材の組付状態に向けたスライド変位が開始可能な状態で、支持部の全てが、蓋部材に設けられて、遊技機用基板ケースにおいてケース本体に対する蓋部材のスライド変位方向で対向位置せしめられる一対の側壁部を構成する一対の対向壁部の間に位置せしめられていることも、特徴とする。
【００１１】
このような本発明に従う構造とされた遊技機用基板ケースにおいては、ケース本体と蓋部材のそれぞれに設けられて、ケース本体と蓋部材が組み付けられた組付状態で互いに協働することによって制御基板を支持する支持部の全てが、ケース本体に対する蓋部材の組付状態に向けたスライド変位が開始可能な状態で、蓋部材に設けられて、遊技機用基板ケースにおいてケース本体に対する蓋部材のスライド変位方向で対向位置せしめられる一対の側壁部を構成する一対の対向壁部の間に位置せしめられていることから、ケース本体に対する蓋部材の組付状態に向けたスライド変位に際して、その開始時から終了時までの間において、全ての支持部が一対の対向壁部の間に位置せしめられることとなる。
【００１２】
これにより、一対の対向壁部に対して、ケース本体に対する蓋部材の組付状態に向けたスライド変位時に支持部が通り抜け可能な切欠等を形成する必要がなくなる。その結果、ゴト行為を有利に阻止することが可能となる。
【００１３】
そこにおいて、本発明では、ケース本体に対する蓋部材の組付状態下で蓋部材に設けられた一対の対向壁部に対して重ね合わせられる縦壁部が、ケース本体に設けられていることが望ましい。これにより、遊技機用基板ケースにおいて蓋部材のスライド変位方向で対向位置せしめられる一対の側壁部を二重構造にすることが可能となる。その結果、ゴト行為を一層有利に阻止することが可能となる。
【００１４】
なお、本発明において、ケース本体や蓋部材の形成材料は、特に限定されるものではないが、例えば、ポリカーボネート（ＰＣ）等の透明な合成樹脂材によって形成されていることが望ましい。これにより、遊技機用基板ケースに収容された制御基板を外部から視認することが容易に可能となる。
【００１５】
また、本発明において、係合片や係合部の数は、一つであっても良いし、複数であっても良い。
【００１６】
さらに、本発明において、「組付状態で互いに協働することによって制御基板を支持する」とは、例えば、蓋部材に設けられた支持部によって制御基板を位置決めする一方、ケース本体に設けられた支持部によって支持基板を支えること等によって、有利に実現される。更にまた、本発明において、支持部は、ケース本体と蓋部材のそれぞれに対して複数設けられていることが望ましい。これにより、支持部による制御基板の支持状態の安定化を図ることが可能となる。
【発明を実施するための最良の形態】
【００１７】
以下、本発明を更に具体的に明らかにするために、本発明の実施形態について、図面を参照しつつ、詳細に説明する。
【００１８】
先ず、図１には、本発明の一実施形態としての遊技機用基板ケース１０が示されている。この遊技機用基板ケース１０は、ケース本体１２に対して蓋部材１４が組み付けられた構造とされており、その内部に制御基板１６を収容した状態で、遊技機の裏側の適当な位置に取り付けられるようになっている。なお、制御基板１６は、所定の検査機関による検査の対象となる制御基板（具体的には、例えば、遊技機の作動を全体的に制御する主制御基板や、かかる主制御基板からの制御信号に基づいて賞媒体の払い出しを制御する払出制御基板）等である。
【００１９】
より詳細には、ケース本体１２は、ポリカーボネート（ＰＣ）等の透明な硬質の合成樹脂材料によって形成されており、図２乃至４に示されているように、全体として、底板１８の外周縁部に沿って全周に亘って延びる周壁２０が立設されて、上側に開口する開口部２２が形成された構造とされている。
【００２０】
そこにおいて、本実施形態では、ケース本体１２の長手方向（図２における左右方向）で対向位置せしめられた一対の長手方向対向壁部２４ａ，２４ｂのそれぞれに対して、上方に開口して長手方向対向壁部２４ａ，２４ｂの長手方向（ケース本体１２の幅方向、即ち、図２における上下方向）に延びるガイド溝２６ａ，２６ｂが形成されている。
【００２１】
また、各長手方向対向壁部２４ａ，２４ｂの近くには、支持部としての支柱２５ａ，２５ｂが底板１８に突設されている。特に、本実施形態では、各支柱２５ａ，２５ｂは円筒形状とされている。そこにおいて、本実施形態では、一方の長手方向対向壁部２４ａの近くに設けられた支柱２５ａは、ケース本体１２の幅方向一方（図２における上方）の側壁部２３ａ付近に位置せしめられている一方、他方の長手方向対向壁部２４ｂの近くに設けられた支柱２５ｂは、ケース本体１２の幅方向の中間部分に位置せしめられている。なお、本実施形態では、幅方向一方の側壁部２３ａの高さ寸法は、後述するように、蓋部材１４に設けられた支持突起４５ａが制御基板１６に形成された支持穴４７ａに挿入された状態で、蓋部材１４のケース本体１２に対するスライド変位を許容するように設定されている。
【００２２】
また、ケース本体１２の幅方向他方（図２における下方）の側壁部２３ｂには、複数（本実施形態では、八つ）の本体側筒部２８が一体形成されている。特に、本実施形態では、これら八つの本体側筒部２８は、ケース本体１２の長手方向中央を挟んで、長手方向一方の側と他方の側に、四つずつまとめて設けられている。
【００２３】
また、本実施形態では、各本体側筒部２８は有底円筒形状とされており、その周壁部分が、ケース本体１２の幅方向他方の側壁部２３ｂに対して、取付片３０によって取り付けられている。これにより、各本体側筒部２８がケース本体１２の外周縁部としての周壁２０に対して一体形成されているのである。
【００２４】
そこにおいて、本実施形態では、各本体側筒部２８の開口方向（中心軸線が延びる方向）は、ケース本体１２の開口部２２の開口方向（底板１８に対して略直交する方向）に対して略平行とされている。
【００２５】
また、本実施形態では，各本体側筒部２８の上方において、側壁部分がＵ字断面で本体側筒部２８の開口方向（軸方向）に延びるように形成された下段収容部３２が一体形成されている。そして、下段収容部３２の底壁に形成された連通孔によって、下段収容部３２と本体側筒部２８が連通せしめられている。
【００２６】
更にまた、本実施形態では、各下段収容部３２の上方において、側壁部分がコ字状断面で本体側筒部２８の開口方向（軸方向）に延びるように形成された上段収容部３４が一体形成されている。そして、上段収容部３４の底壁に形成された切欠によって、上段収容部３４と下段収容部３２が連通せしめられている。なお、本実施形態では、隣り合う二つの上段収容部３４は、隣り合う方向に位置する側壁部（ケース本体１２の幅方向に延びる側壁部）を共有している。
【００２７】
このような構造とされたケース本体１２に組み付けられる蓋部材１４は、ケース本体１２と同様に、ポリカーボネート（ＰＣ）等の透明な硬質の合成樹脂材料によって形成されており、図５乃至７に示されているように、全体として、天板３６の外周縁部に沿って延びる周壁３７が立設されて、下側に開口する開口部が形成された構造とされている。なお、本実施形態の天板３６は、その幅方向（図５中の上下方向）中間部分において傾斜部分が設けられており、それによって、幅方向の両端において天板３６から開口端までの距離が異ならされている。
【００２８】
そして、蓋部材１４の長手方向（図５における左右方向）で対向位置せしめられる一対の長手方向対向壁部４６ａ，４６ｂの近くには、それぞれ、支持部としての支持突起４５ａ，４５ｂが蓋部材１４の開口方向に突出するようにして設けられている。そこにおいて、本実施形態では、一方の長手方向対向壁部４６ａの近くに設けられた支持突起４５ａは、天板３６の裏面に突出形成されており、蓋部材１４の幅方向一方（図５における上方）の側壁部４１ａ付近に位置せしめられている。一方、他方の長手方向対向壁部４６ｂの近くに設けられた支持突起４５ｂは、天板３６の裏面に突設された、厚肉の板形状乃至は矩形ブロック形状を呈する支持台３５の先端面に突出形成されており、蓋部材１４の幅方向中間部分に位置せしめられている。なお、図面上では必ずしも明らかではないが、本実施形態では、支持台３５の先端面と天板３６の裏面において支持突起４５ａが突出形成されている部分が同じ高さに位置せしめられている。
【００２９】
また、蓋部材１４の幅方向他方（図５における下方）の側壁部４１ｂには、複数（本実施形態では、八つ）の蓋側筒部３８が一体形成されている。特に、本実施形態では、これら八つの蓋側筒部３８は、蓋部材１４の長手方向中央を挟んで、長手方向一方の側と他方の側に、四つずつまとめて設けられている。
【００３０】
そこにおいて、本実施形態では、各蓋側筒部３８は、矩形断面で開口する枠体乃至は筒体形状とされた上側収容部４０の底壁に対して略一定の断面でストレートに延びる円筒形状とされた下側収容部４２が同一中心軸線上で軸方向下方に突設された構造とされており、これら上側収容部４０と下側収容部４２は、上側収容部４０の底壁に形成された連通孔を通じて、相互に連通せしめられている。
【００３１】
特に、本実施形態では、各蓋側筒部３８の開口方向（中心軸線が延びる方向）、即ち、上側収容部４０と下側収容部４２の開口方向（中心軸線が延びる方向）が、蓋部材１４の開口方向（天板３６に略直交する方向）に対して略平行とされている。
【００３２】
このような構造とされた蓋側筒部３８は、上側収容部４０が一対の取付片４４，４４によって蓋部材１４における幅方向他方の側壁部４１ｂに取り付けられている。これにより、各蓋側筒部３８が蓋部材１４の外周縁部としての周壁３７に対して一体形成されているのである。
【００３３】
続いて、上述の如き構造とされた蓋部材１４を、ケース本体１２に対して組み付ける方法について、説明する。
【００３４】
先ず、蓋部材１４に設けられた支持突起４５，４５を制御基板１６に形成された支持穴４７，４７に挿入する（後述する図９及び図１１参照）。そこにおいて、本実施形態では、支持突起４５ａ，４５ｂが支持穴４７ａ，４７ｂに挿入された状態で、支持突起４５ａ，４５ｂの突出端が支持穴４７ａ，４７ｂ内に位置せしめられており、支持穴４７ａ，４７ｂの裏側の開口端面となる制御基板１６の裏面から突出しないようになっている。また、本実施形態では、支持突起４５ａ，４５ｂが支持穴４７ａ，４７ｂに挿入された状態で、制御基板１６の表側の面が天板３６と支持台３５に対して当接せしめられている。なお、上述の如く、支持突起４５ａ，４５ｂが支持穴４７ａ，４７ｂに挿入された状態で、制御基板１６に設けられたコネクタ５２は、蓋部材１４に形成された窓５４から外部に突出せしめられている。
【００３５】
次に、蓋部材１４における一対の長手方向対向壁部４６ａ，４６ｂを、ケース本体１２における一対のガイド溝２６ａ，２６ｂに嵌め入れる。その際、図８に示されているように、ケース本体１２におけるガイド溝２６ａ，２６ｂ内に設けられた係合片４８ａ，４８ｂは、蓋部材１４における長手方向対向壁部４６ａ，４６ｂに形成された係合部としての係合用切欠５０ａ，５０ｂ内に収容位置せしめられるようになっている。なお、図８及び後述する図１０では、ケース本体１２におけるガイド溝２６ａ内に設けられた係合片４８ａ，４８ａと蓋部材１４における長手方向対向壁部４６ａに形成された係合用切欠５０ａ，５０ａとの位置関係を示しているが、本実施形態では、ケース本体１２におけるガイド溝２６ｂ内に設けられた係合片４８ｂ，４８ｂと蓋部材１４における長手方向対向壁部４６ｂに形成された係合用切欠５０ｂ，５０ｂの位置関係も、図８や図１０に示されている係合片４８ａと係合用切欠５０ａの位置関係と同じようになっている。そして、この状態からケース本体１２に対する蓋部材１４のスライド変位が可能とされている一方、この状態では、ケース本体１２の開口部２２の開口方向に対して蓋部材１４を取り外すことが可能とされている。即ち、本実施形態では、一対の長手方向対向壁部４６ａ，４６ｂが一対のガイド溝２６ａ，２６ｂ嵌め入れられることにより、係合片４８ａ，４８ｂが係合用切欠５０ａ，５０ｂ内に収容位置せしめられて、且つ、ケース本体１２に対する蓋部材１４の取り外しが許容されている状態が、ケース本体１２に対する蓋部材１４の組付状態に向けたスライド変位が開始可能な状態とされているのである。また、本実施形態の係合片４８ａ，４８ｂは、それぞれ、各ガイド溝２６ａ，２６ｂの側壁部分に対して一体的に設けられている。即ち、本実施形態では、係合片４８ａ，４８ｂは、ケース本体１２に設けられているのであり、係合用切欠５０ａ、５０ｂは、蓋部材１４に設けられているのである。
【００３６】
そこにおいて、本実施形態では、上述の如く、蓋部材１４における一対の長手方向対向壁部４６ａ，４６ｂがケース本体１２における一対のガイド溝２６ａ，２６ｂに嵌め入れられた状態で、ケース本体１２の底板１８と蓋部材１４における天板３６は、天板３６における傾斜部分を除いて略平行とされている。
【００３７】
なお、支持突起２５ａ，ｂを支持穴４７ａ，ｂに挿入した状態で、一対の長手方向対向壁部４６ａ，４６ｂを一対のガイド溝２６ａ，ｂに嵌め入れる方法としては、例えば、作業者が蓋部材１４を鉛直方向の上方に開口するようにして持ち、その状態で、支持穴４７ａ，ｂに支持突起４５ａ，ｂを挿入した後、一対の長手方向対向壁部４６ａ，４６ｂを一対のガイド溝２６ａ，２６ｂに嵌め入れる方法等が有利に採用される。
【００３８】
また、上述の如く、蓋部材１４における一対の長手方向対向壁部４６ａ，４６ｂがケース本体１２における一対のガイド溝２６ａ，２６ｂに嵌め入れられた状態下において、ケース本体１２に設けられた支柱２５ａ，２５ｂは、図９に示されているように、制御基板１６の裏面に当接せしめられている。なお、図９、更には、後述する図１０において、制御基板１６に実装されている回路素子等の図示は省略してある。
【００３９】
更にまた、上述の如く、蓋部材１４における一対の長手方向対向壁部４６ａ，４６ｂがケース本体１２における一対のガイド溝２６ａ，２６ｂに嵌め入れられた状態下において、ケース本体１２に設けられた支柱２５ａ，２５ｂは、図９に示されているように、蓋部材１４における幅方向一方の側壁部４１ａと幅方向他方の側壁部４１ｂとの間に位置せしめられるようになっている。即ち、支持突起４５ａ，４５ｂの全てと支柱２５ａ，２５ｂの全てが、蓋部材１４における幅方向一方の側壁部４１ａと幅方向他方の側壁部４１ｂとの間に位置せしめられているのである。このことから明らかなように、本実施形態では、蓋部材１４における幅方向一方の側壁部４１ａと幅方向他方の側壁部４１ｂによって、一対の対向壁部が構成されている。
【００４０】
そして、上述の如き状態から係合片４８ａ，４８ｂが係合用切欠５０ａ，５０ｂに係合せしめられる方向（ケース本体１２の開口部２２を蓋部材１４で覆蓋する方向、即ち、蓋を閉める方向））へと蓋部材１４をケース本体１２に対してスライド変位（本実施形態では、底板１８に対して天板３６を平行移動させるようなスライド変位）せしめることにより、図１０に示されているように、係合片４８ａ，４８ｂが係合用切欠５０ａ，５０ｂに係合せしめられるようになっている。これにより、ケース本体１２における開口部２２の開口方向に蓋部材１４をケース本体１２から取り外すことが阻止されて、ケース本体１２に対して蓋部材１４が組み付けられた組付状態となり、図１に示されているように、ケース本体１２の開口部２２が蓋部材１４で覆蓋されることとなる。
【００４１】
そこにおいて、蓋部材１４がケース本体１２に対してスライド変位せしめられている間、各支柱２５ａ，２５ｂは制御基板１６の裏面を摺動せしめられるようになっている。そして、上述の如き組付状態が実現されることにより、図１１に示されているように、支柱２５ａは支持穴４７ａに挿入された支持突起４５ａと同一中心軸線上に位置せしめられる一方、支柱２５ｂは支持穴４７ｂに挿入された支持突起４５ｂと同一中心軸線上に位置せしめられる。また、このようにして、支柱２５ａ，ｂと支持突起４５ａ，ｂが同一中心軸線上に位置せしめられた状態で、支柱２５ａは支持穴４７ａの開口周縁部に当接せしめられている一方、支柱２５ｂは支持穴４７ｂの開口周縁部に当接せしめられている。即ち、ケース本体１２に蓋部材１４が組み付けられた組付状態下において、支持穴４７ａ，４７ｂに支持突起４５ａ，４５ｂが挿入されることで蓋部材１４に対して位置決めされた制御基板１６が、支柱２５ａ，２５ｂによって、裏面側から当接支持されているのである。このことから明らかなように、支持突起４５ａ，４５ｂと支柱２５ａ，２５ｂは、ケース本体１２に対して蓋部材１４が組み付けられた組付状態下で、互いに協働することによって制御基板１６を支持している。そして、上述の如き組付状態が実現されることにより、遊技機用基板ケース１０に制御基板１６が収容される収容空間４９が形成されるのである。
【００４２】
また、上述の如く組付状態では、ケース本体１２における幅方向一方の側壁部２３ａと蓋部材１４における幅方向一方の側壁部４１ａが当接せしめられていると共に、ケース本体１２における幅方向他方の側壁部２３ｂと蓋部材１４における幅方向他方の側壁部４１ｂが当接せしめられている。即ち、本実施形態では、ケース本体１２における幅方向一方の側壁部２３ａと蓋部材１４における幅方向一方の側壁部４１ａによって、遊技機用基板ケース１０においてケース本体１２に対する蓋部材１４のスライド変位方向で対向位置せしめられる側壁部の一方が構成されており、また、ケース本体１２における幅方向他方の側壁部２３ｂと蓋部材１４における幅方向他方の側壁部４１ｂによって、遊技機用基板ケース１０においてケース本体１２に対する蓋部材１４のスライド変位方向で対向位置せしめられる側壁部の他方が構成されている。また、このことから明らかなように、本実施形態では、ケース本体１２における幅方向一方の側壁部２３ａと幅方向他方の側壁部２３ｂのそれぞれによって、縦壁部が構成されているのである。
【００４３】
なお、本実施形態では、上述の如く、ケース本体１２の開口部２２が蓋部材１４で覆蓋された状態で、図１に示されているように、ケース本体１２の幅方向一方の側壁部２３ａに形成された突起５６が、蓋部材１４における幅方向一方の側壁部４１ａに形成された挿通孔５８に嵌め入れられるようになっている。
【００４４】
また、上述の如く、蓋部材１４をケース本体１２に対してスライド変位せしめることにより、図１２に示されているように、蓋側筒部３８における下側収容部４２が本体側筒部２８の上方に設けられた下段収容部３２内に位置せしめられると共に、蓋側筒部３８における上側収容部４０が下段収容部３２の上方に形成された上段収容部３４内に位置せしめられるようになっている。これにより、蓋側筒部３８と本体側筒部２８が、ケース本体１２に対して蓋部材１４が組み付けられた状態で、同一中心軸線上に位置せしめられるようになっている。即ち、蓋部材１４において本体側筒部２８に対応する位置に蓋側筒部３８が設けられているのである。そして、上述の如く、蓋側筒部３８と本体側筒部２８が同一中心軸線上に位置せしめられることによって、蓋側筒部３８の内部空間３９と本体側筒部２８の内部空間２７が後述するスプリングピン６０の挿入を許容する位置にあることとなり、その結果、蓋側筒部３８の内部空間３９と本体側筒部２８の内部空間２７が実質的に繋がった状態とされている。なお、本実施形態では、上述の如く、蓋側筒部３８と本体側筒部２８が同一中心軸線上に位置せしめられた状態で、蓋側筒部３８における下側収容部４２の下端面と本体側筒部２８に一体形成された下段収容部３２の底面との間には、隙間が形成されている。
【００４５】
また、本実施形態では、底板１８に対して天板３６が平行移動するようにして、蓋部材１４がケース本体１２に対してスライド変位せしめられることにより、蓋部材１４がケース本体１２に対して脱着されるようになっていることから、蓋部材１４がケース本体１２に対して組み付けられた状態で、蓋側筒部３８と本体側筒部２８の並ぶ方向（これら蓋側筒部３８と本体側筒部２８に共通の中心軸線が延びる方向）が、蓋部材１４のケース本体１２に対するスライド方向に略直交しているのである。
【００４６】
そして、上述の如く、同一中心軸上に位置せしめられた本体側筒部２８と蓋側筒部３８に対して、スプリングピン６０が嵌め入れられるようになっている。そこにおいて、本実施形態のスプリングピン６０は、鉄鋼やばね鋼，ばね用ステンレス鋼等で形成されており、図１３及び図１４に示されているように、周方向の一部において軸方向に蛇行しながら延びる切り込み６２が形成された筒形状とされている。なお、このようなスプリングピン６０は、例えば、長手方向両端が鋸歯状に形成された板材を適当な機械や工具を用いて丸めること等によって、有利に形成される。また、本実施形態のスプリングピン６０は、その軸方向両端の外側角部に対して、全周に亘って角取りが施されており、それによって、軸方向両端の何れの側からであっても、スプリングピン６０の本体側筒部２８と蓋側筒部３８への挿し込みが有利に行われるようになっている。
【００４７】
また、本実施形態では、このようなスプリングピン６０に対して組付ピン６４が取り付けられている。この組付ピン６４は、ＡＢＳ等の合成樹脂材によって形成されており、図１５及び図１６に示されているように、全体として矩形平板形状とされた板状片６６の中央部分から厚さ方向一方の側に突出する挿入突起としての挿入軸６８が一体形成された構造とされている。なお、本実施形態では、板状片６６の長手方向両端の下側角部に対して板状片６６の幅方向全長に亘って角取りが施されている。これにより、後述する板状片６６の上側収容部４０内における上側開口から底壁への移動を有利に行うことが可能となる。
【００４８】
このような構造とされた組付ピン６４は、図１７に示されているように、スプリングピン６０の軸方向一方の端から挿入軸６８が挿し込まれて固定されることにより、スプリングピン６０に対して組み付けられている。そこにおいて、図面上では明示されていないが、本実施形態では、このようにして、スプリングピン６０に組付ピン６４が組み付けられた状態で、スプリングピン６０の軸方向上方（組付ピン６４が組み付けられた側）から見ると、組付ピン６４における板状片６６によって、スプリングピン６０が覆い隠されるようになっている。
【００４９】
そして、上述の如く、組付ピン６４が組み付けられたスプリングピン６０は、図１８に示されているように、組付ピン６４が取り付けられていない軸方向他方の端部側から蓋側筒部３８に挿入されるようになっている。なお、図１８及び後述する図１９において、組付ピン６４とスプリングピン６０は断面図で示していない。
【００５０】
そして、上述の如く、スプリングピン６０が蓋側筒部３８に挿入されることにより、スプリングピン６０における下側収容部４２に嵌め入れられている部分に対して、スプリングピン６０を締める力が作用することとなる。その結果、スプリングピン６０が元の形状に戻ろうとする力（復元力）が下側収容部４２に作用することとなる。
【００５１】
そして、上述の如きスプリングピン６０による復元力が下側収容部４２に作用することによって、スプリングピン６０の外周面が下側収容部４２の内周面に押し当てられることとなる。その結果、スプリングピン６０の外周面と下側収容部４２の内周面との間にスプリングピン６０の変位を阻止する方向に摩擦力が発生することとなる。
【００５２】
そして、上述の如く、スプリングピン６０が下側収容部４２に挿入された状態からスプリングピン６０を摩擦力に抗して更に挿入することにより、図１９に示されているように、スプリングピン６０が蓋側筒部３８と本体側筒部２８とに跨って挿入された状態となる。
【００５３】
そこにおいて、本実施形態では、上述の如く、スプリングピン６０が蓋側筒部３８と本体側筒部２８とに跨って挿入された状態で、スプリングピン６０における下側収容部４２に嵌め入れられている部分だけに対して、スプリングピン６０を締める力が作用するようになっている。即ち、本実施形態では、スプリングピン６０の軸方向変位を阻止する摩擦力が、スプリングピン６０における下側収容部４２に嵌め入れられている部分のみに及ぼされるようになっているのであり、その結果、本実施形態では、スプリングピン６０は蓋側筒部３８（下側収容部４２）のみに対して嵌められているのである。
【００５４】
また、本実施形態では、上述の如く、スプリングピン６０が蓋側筒部３８と本体側筒部２８とに跨って挿入されていると共に、スプリングピン６０が蓋側筒部３８に嵌められて固定された状態で、スプリングピン６０の軸方向一方の端部は蓋側筒部３８内に位置せしめられていると共に、スプリングピン６０の軸方向他方の端部は本体側筒部２８内に位置せしめられている。
【００５５】
なお、図面上では明示されていないが、本実施形態では、四つで一つのグループとされた本体側筒部２８と蓋側筒部３８の組み合わせのうち、何れか一つの組み合わせにおいて、図１９に示されているように、スプリングピン６０が本体側筒部２８と蓋側筒部３８とに跨って挿入されている一方、その他の組み合わせにおいて、図１８に示されているように、スプリングピン６０が蓋側筒部３８だけに嵌め入れられた状態とされている。
【００５６】
更にまた、本実施形態では、図１８に示されている状態から更にスプリングピン６０を嵌め入れる際において、スプリングピン６０に固定された組付ピン６４における板状片６６の長手方向両端が、上側収容部４０における長手方向（図１８における左右方向）で対向位置せしめられる一対の対向側壁部７０，７０に対して摺動せしめられるようになっている。
【００５７】
そこにおいて、本実施形態では、一対の対向側壁部７０，７０の対向面間距離が、上側収容部４０の上側開口から底壁へと行くに従って次第に短くなるようにされている。これにより、スプリングピン６０に固定された組付ピン６４における板状片６６の長手方向両端は、上側収容部４０の底壁側に行くに従って次第に上側収容部４０の上側開口側への反りが大きくなるようになっている。
【００５８】
そして、板状片６６が上側収容部４０の底壁に到達すると、板状片６６の長手方向両端部のそれぞれが、上側収容部４０の上側開口側に反った状態から元の状態に戻ると共に、各対向側壁部７０の底壁付近に形成された開口穴７２に入り込むようになっている。その結果、板状片６６の長手方向両端部のそれぞれが、各対向側壁部７０に形成された開口穴７２の内周面７４（特に、スプリングピン６０の嵌め入れ方向とは反対側に位置する上側開口側の面）に係止されることにより、組付ピン６４の上側収容部４０の上側開口側への変位、延いては、スプリングピン６０の軸方向上方への変位（抜け方向への変位）が阻止されることとなる。
【００５９】
なお、本実施形態では、図１８に示された状態、即ち、スプリングピン６０が蓋側筒部３８に嵌め入れられて、板状片６６の上面が蓋側筒部３８の上端面と同じ高さに位置せしめられた状態で、図２０に示されているように、板状片６６における幅方向両端と上側収容部４０との間に隙間が形成されている。
【００６０】
特に、本実施形態では、図面上では必ずしも明らかではないが、板状片６６の上面が蓋側筒部３８（上側収容部４０）の上端面と同じ高さに位置せしめられた状態から板状片６６の長手方向両端のそれぞれが開口穴７２，７２に入り込むまでの間において、板状片６６における幅方向両端と上側収容部４０との間には、それぞれ、隙間が形成されるようになっている。これにより、スプリングピン６０が蓋側筒部３８と本体側筒部２８とに跨って挿入された状態に至るまでの間において、板状片６６の長手方向両端のみが上側収容部４０の上側開口側に反るようになっている。その結果、スプリングピン６０が蓋側筒部３８に嵌め入れられた状態からスプリングピン６０が蓋側筒部３８と本体側筒部２８とに跨って挿入された状態に至るまでの抵抗を小さくすることが可能となる。
【００６１】
このような構造とされた遊技機用基板ケース１０においては、ケース本体１２に対する蓋部材１４の組付状態に向けたスライド変位が開始可能とされた状態で、全ての支柱２５ａ，２５ｂと全ての支持突起４５ａ，４５ｂが、蓋部材１４における幅方向一方の側壁部４１ａと幅方向他方の側壁部４１ｂの間に位置せしめられていることから、ケース本体１２に対して蓋部材１４を組み付ける方向へのスライド変位に際して先行する側の側壁部となる蓋部材１４の幅方向一方の側壁部４１ａに対して、蓋部材１４のスライド変位時に支柱２５ｂが通り抜けるための切欠等を形成する必要がなくなる。その結果、ゴト行為を有利に阻止することが可能となるのである。
【００６２】
特に、本実施形態では、遊技機用基板ケース１０において蓋部材１４のスライド変位方向で対向位置せしめられる一対の側壁部が二重構造とされていることから、ゴト行為を一層有利に阻止することが可能となる。
【００６３】
また、本実施形態においては、ケース本体１２に対して蓋部材１４が組み付けられた状態で、ケース本体１２に対する蓋部材１４のスライド変位方向に交差する方向に延びる中心軸線上に位置せしめられた蓋側筒部３８と本体側筒部２８とに跨って挿入されるスプリングピン６０が、蓋側筒部３８における下側収容部４２に嵌められて固定されていることから、ケース本体１２に対する蓋部材１４の開蓋方向へのスライド変位がスプリングピン６０によって阻止されることとなり、その結果、遊技機用基板ケース１０の封止状態が実現されるようになっている。
【００６４】
そこにおいて、スプリングピン６０は、周方向の一部において軸方向の全長に亘って切り込み６２が形成された筒形状とされており、軸直角方向にばね作用を生ぜしめるようになっていることから、スプリングピン６０において蓋側筒部３８の下側収容部４２に嵌められている部分に及ぼされる、スプリングピン６０を締める力の反力が、下側収容部４２に及ぼされることとなる。これにより、スプリングピン６０の外周面と下側収容部４２の内周面との間に発生する摩擦力を有利に確保することが可能となる。その結果、蓋側筒部３８における下側収容部４２に成形時の寸法誤差があったり、遊技機用基板ケース１０の周辺温度の変化があった場合でも、スプリングピン６０の軸方向への変位が有利に阻止されることとなり、スプリングピン６０が蓋側筒部３８における下側収容部４２に嵌められた状態の安定化を図ることが可能となる。
【００６５】
従って、遊技機用基板ケース１０の安定した封止状態を有利に実現することが可能となる。
【００６６】
また、本実施形態では、本体側筒部２８が有底円筒形状とされていることから、本体側筒部２８の底壁に穴を開ける等しない限り、スプリングピン６０が本体側筒部２８の側から引きぬけないようになっており、しかも、スプリングピン６０と蓋側筒部３８における下側収容部４２との間において、スプリングピン６０の引き抜き方向に対して逆らう方向に摩擦力が働くようになっていることから、スプリングピン６０の引き抜きを有利に阻止することが可能となり、その結果、遊技機用基板ケース１０の封止状態の更なる安定化を図ることが可能となる。
【００６７】
加えて、本実施形態では、スプリングピン６０が下側収容部４２と本体側筒部２８とに跨って挿入された状態で、スプリングピン６０に固定された組付ピン６４における板状片６６の長手方向両端が、上側収容部４０における一対の対向側壁部７０，７０の底壁側に形成された開口穴７２，７２に嵌め込まれるようになっていることから、板状片６６の長手方向の各端部が開口穴７２の内周面７４に対して係止されるようにすることが可能となる。これにより、例えば、本体側筒部２８の底壁に穴を開ける等して、スプリングピン６０を挿入方向とは反対のの方向に押し戻そうとしても、板状片６６の長手方向の各端部が開口穴７２の内周面７４に対して係止されることにより、スプリングピン６０の挿入方向とは反対側の方向への変位を阻止することが可能となる。その結果、遊技機用基板ケース１０の安定した封止状態を一層有利に実現することが出来る。
【００６８】
また、本実施形態では、スプリングピン６０に固定された組付ピン６４における板状片６６をスプリングピン６０の軸方向上方から見た場合に、板状片６６がスプリングピン６０を覆い隠すようになっていることから、スプリングピン６０を挿入する際に力を加えることが出来る面積を有利に確保することが可能となり、その結果、スプリングピン６０の挿入作業の作業効率を向上させることが可能となる。
【００６９】
さらに、本実施形態では、挿入軸６８が板状片６６の中央部分に突出形成されていることから、スプリングピン６０が蓋側筒部３８と本体側筒部２８とに跨って挿入されるまでの過程における板状片６６の長手方向両端の反りを有利に実現することが可能となる。
【００７０】
また、本実施形態では、スプリングピン６０は下側収容部４２（蓋側筒部３８）のみに対して嵌められて固定されるようになっていることから、蓋側筒部３８を蓋部材１４の周壁３７に連結している取付片４４，４４をニッパー等で切断することにより、蓋側筒部３８を蓋部材１４から分離するだけで、スプリングピン６０を本体側筒部２８から容易に抜き取ることが可能となる。その結果、遊技機用基板ケース１０を開封した痕跡を残しつつ、遊技機用基板ケース１０の開蓋作業を速やかに行うことが可能となる。
【００７１】
以上、本発明の一実施形態について詳述してきたが、これはあくまでも例示であって、本発明は、かかる実施形態における具体的な記載によって、何等、限定的に解釈されるものではない。
【００７２】
例えば、前記実施形態において、支柱２５ａ，２５ｂや支持突起４５ａ，４５ｂの数は三つ以上であっても良い。また、前記実施形態において、係合片４８ａ，４８ｂや係合用切欠５０ａ，５０ｂの数は一つであっても良いし、三つ以上であっても良い。更に、前記実施形態において、ガイド溝２６ａ，２６ｂは必ずしも必要なものではない。更にまた、前記実施形態において、支持突起４５ａ，４５ｂと支柱２５ａ，２５ｂはケース本体１２に対して蓋部材１４が組み付けられた組付状態で同一中心軸線上に位置せしめられていたが、かかる組付状態下において、支持突起４５ａ，４５ｂと支柱２５ａ，２５ｂは、このような位置関係にある必要はない。即ち、前記実施形態においては、支持突起４５ａ，４５ｂは、支持穴４７ａ，４７ｂと協働して制御基板１６の蓋部材１４に対する位置決め作用を発揮すれば良いのであり、また、支柱２５ａ，２５ｂは、制御基板１６を下側から支える役割を発揮すれば良いのである。
【００７３】
また、前記実施形態における組付ピン６４は、必ずしも必要なものではない。更にまた、前記実施形態におけるスプリングピン６０の軸方向端部外側の角部に対する角取りは、必ずしも必要なものではない。
【００７４】
また、スプリングピンにおける周方向で分断されている部分は、前記実施形態のように、蛇行している必要はなく、真っ直ぐ延びていても良い。更に、スプリングピンは、板材を一周以上に巻いた構造であっても良い。
【００７５】
更にまた、周方向で分断された筒状のスプリングピンに対して、スプリングピンの形成材料よりも硬度が低い材料で形成された挿入部材を挿入固定しても良い。これにより、スプリングピンにおいて周方向で分断されている部分の離隔距離を有利に確保することが可能となり、その結果、スプリングピンの軸直角方向へのばね作用を有利に得ることが可能となる。なお、挿入部材の形成材料としては、例えば、硬質ゴムやシリコーン，セラミックス，ウレタン等が採用される。
【００７６】
また、スプリングピン６０は、本体側筒部２８に対して嵌められて固定されるようになっていても良いし、本体側筒部２８と蓋側筒部３８の両方に対して嵌められて固定されるようになっていても良い。
【００７７】
なお、前記実施形態において、下側収容部４２の内径寸法が軸方向上端から軸方向下端に行くに従って次第に小さくされていても良い。これにより、スプリングピン６０の挿入作業を有利に実現することが可能となる。
【００７８】
また、板状片の板面に直交する方向から見た形状は、円形や楕円形，多角形等が何れも採用され得る。
【００７９】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００８０】
【図１】本発明の一実施形態としての遊技機用基板ケースの平面図。
【図２】同遊技機用基板ケースを構成するケース本体の平面図。
【図３】図２におけるＩＩＩ−ＩＩＩ方向の断面図。
【図４】図２におけるＩＶ−ＩＶ方向の断面図。
【図５】図１の遊技機用基板ケースを構成する蓋部材の平面図。
【図６】図５におけるＶＩ−ＶＩ方向の断面図。
【図７】図５におけるＶＩＩ−ＶＩＩ方向の断面図。
【図８】ケース本体に対して蓋部材をスライドさせる前の状態を説明するための断面図。
【図９】蓋部材のスライド変位が開始可能な状態を説明するための断面図であって、図１におけるＸＩ−ＸＩ方向に相当する断面図である。
【図１０】ケース本体に対して蓋部材をスライドさせた状態を説明するための断面図。
【図１１】図１におけるＸＩ−ＸＩ方向の断面図。
【図１２】図１におけるＸＩＩ−ＸＩＩ方向に相当する断面図であって、本体側筒部と蓋側筒部の位置関係を説明するための要部拡大断面図。
【図１３】図１の遊技機用基板ケースに採用されているスプリングピンの平面図。
【図１４】図１３に示されたスプリングピンの上面図。
【図１５】図１３に示されたスプリングピンに固定される組付ピンの正面図。
【図１６】図１５に示された組付ピンの右側面図。
【図１７】図１３のスプリングピンに組付ピンが固定された状態を示す正面図。
【図１８】図１７のスプリングピンが下側収容部に挿し込まれた状態を説明するための断面図。
【図１９】図１７のスプリングピンが下側収容部と本体側筒部に挿し込まれた状態を説明するための断面図。
【図２０】図１８に示されたスプリングピンの下側収容部への挿し込み状態を上方から見た図面。
【符号の説明】
【００８１】
１０：遊技機用基板ケース，１２：ケース本体，１４：蓋部材，１６：制御基板，２３ａ：側壁部，２３ｂ：側壁部，２５ａ：支柱，２５ｂ：支柱，４１ａ：側壁部，４１ｂ：側壁部，４５ａ：支持突起，４５ｂ：支持突起，４８：係合片，４９：収容空間，５０：係合用切欠
【図１】
2007282658.tif 000003
【図２】
2007282658.tif 000004
【図３】
2007282658.tif 000005
【図４】
2007282658.tif 000006
【図５】
2007282658.tif 000007
【図６】
2007282658.tif 000008
【図７】
2007282658.tif 000009
【図８】
2007282658.tif 000010
【図９】
2007282658.tif 000011
【図１０】
2007282658.tif 000012
【図１１】
2007282658.tif 000013
【図１２】
2007282658.tif 000014
【図１３】
2007282658.tif 000015
【図１４】
2007282658.tif 000016
【図１５】
2007282658.tif 000017
【図１６】
2007282658.tif 000018
【図１７】
2007282658.tif 000019
【図１８】
2007282658.tif 000020
【図１９】
2007282658.tif 000021
【図２０】
2007282658.tif 000022